(57)【要約】      （修正有）【課題】給湯用水熱交換器および暖房用水熱交換器を一体化させるとともに、コンパクトな水熱交換器を提供する。【解決手段】水熱交換器は、第１の扁平管４０と、第２の扁平管５０と、第３の扁平管６０とを備える。第１の扁平管は、熱源側からの冷媒を通す。第２の扁平管は、給湯用の水を通す。第３の扁平管は、暖房用の水を通す。また、水熱交換器は、第２の扁平管、第１の扁平管、第３の扁平管、第１の扁平管、および第２の扁平管の順番に、少なくとも部分的に積層されて、冷媒と給湯用の水との間の熱交換と、冷媒と暖房用の水との間の熱交換を行わせる。【選択図】図１２
2015068621.tif 000002
【特許請求の範囲】
【請求項１】
熱源側からの冷媒を通す第１の扁平管（４０）と、
給湯用の水を通す第２の扁平管（５０）と、
暖房用の水を通す第３の扁平管（６０）と、
を備え、
前記第２の扁平管、前記第１の扁平管、前記第３の扁平管、前記第１の扁平管、および前記第２の扁平管の順番に、少なくとも部分的に積層されて、
前記冷媒と前記給湯用の水との間の熱交換と、前記冷媒と前記暖房用の水との間の熱交換を行わせる、
水熱交換器。
【請求項２】
前記第２の扁平管を流れる前記給湯用の水および前記第３の扁平管を流れる前記暖房用の水は、同一の方向に流れ、
前記第１の扁平管を流れる前記冷媒は、前記給湯用の水および前記暖房用の水が流れる方向と反対の方向に流れる、
請求項１に記載の水熱交換器。
【請求項３】
積層された多数の前記第１の扁平管の長手方向両端側に、前記多数の第１の扁平管の積層方向に沿って配置され、前記多数の第１の扁平管に通す前記冷媒を集合させる冷媒用ヘッダ（４１，４２）と、
前記冷媒用ヘッダの長手方向一端に設けられ、前記冷媒の出入口を構成する冷媒用出入口部（４１ｂ，４２ｂ）と、
積層された多数の前記第２の扁平管の長手方向両端側に、前記多数の第２の扁平管の積層方向に沿って配置され、前記多数の第２の扁平管に通す前記給湯用の水を集合させる給湯用ヘッダ（５１，５２）と、
前記給湯用ヘッダの長手方向一端に設けられ、前記給湯用の水の出入口を構成する給湯用出入口部（５１ｂ，５２ｂ）と、
積層された多数の前記第３の扁平管の長手方向両端側に、前記多数の第３の扁平管の積層方向に沿って配置され、前記多数の第３の扁平管に通す前記暖房用の水を集合させる暖房用ヘッダ（６１，６２）と、
前記暖房用ヘッダの長手方向一端に設けられ、前記暖房用の水の出入口を構成する暖房用出入口部（６１ｂ，６２ｂ）と、
をさらに備え、
前記給湯用ヘッダと前記暖房用ヘッダとは、前記第１の扁平管を挟んで対向して配置され、
前記冷媒用ヘッダ、前記給湯用ヘッダ、および前記暖房用ヘッダは、水平面に対して平行に近い傾きで配置され、
前記給湯用出入口部は、水平面に対して、前記冷媒用出入口部よりも下方に配置される、
請求項２に記載の水熱交換器。
【請求項４】
積層された多数の前記第１の扁平管の長手方向両端側に、前記多数の第１の扁平管の積層方向に沿って配置され、前記多数の第１の扁平管に通す前記冷媒を集合させる冷媒用ヘッダ（４１，４２）と、
前記冷媒用ヘッダの長手方向一端に設けられ、前記冷媒の出入口を構成する冷媒用出入口部（４１ｂ，４２ｂ）と、
積層された多数の前記第２の扁平管の長手方向両端側に、前記多数の第２の扁平管の積層方向に沿って配置され、前記多数の第２の扁平管に通す前記給湯用の水を集合させる給湯用ヘッダ（５１，５２）と、
前記給湯用ヘッダの長手方向一端に設けられ、前記給湯用の水の出入口を構成する給湯用出入口部（５１ｂ，５２ｂ）と、
積層された多数の前記第３の扁平管の長手方向両端側に、前記多数の第３の扁平管の積層方向に沿って配置され、前記多数の第３の扁平管に通す前記暖房用の水を集合させる暖房用ヘッダ（６１，６２）と、
前記暖房用ヘッダの長手方向一端に設けられ、前記暖房用の水の出入口を構成する暖房用出入口部（６１ｂ，６２ｂ）と、
をさらに備え、
前記給湯用ヘッダと前記暖房用ヘッダとは、前記第１の扁平管が延びる方向と交差する方向において、同一方向に配置され、
前記冷房用ヘッダ、前記給湯用ヘッダ、および前記暖房用ヘッダは、水平面に対して平行に近い傾きで配置され、
前記給湯用出入口部および前記暖房用出入口部は、水平面に対して、前記冷媒用出入口部よりも下方に配置される、
請求項１または２に記載の水熱交換器。
【請求項５】
前記給湯用の水の出口である前記給湯用出入口部は、前記冷媒の入口である前記冷媒用出入口部の近傍に配置される、
請求項３または４に記載の水熱交換器。
【請求項６】
前記暖房用出入口部は、前記給湯用出入口部の熱交換流れ方向内側に配置され、
前記給湯用出入口部は、前記冷媒用出入口部の近傍に配置される、
請求項４または５に記載の水熱交換器。
【請求項７】
熱源側からの冷媒を通す第１の扁平管（４０）と、
給湯用の水を通す第２の扁平管（５０）と、
暖房用の水を通す第３の扁平管（６０）と、
を備え、
前記第１の扁平管は、第１の方向に並び、前記冷媒を通す多数の冷媒流路穴を有する多穴扁平管（４０ａであって、
前記第２の扁平管および前記第３の扁平管は、前記多数の冷媒流路穴が並ぶ前記第１の方向に並んで配置され、
前記冷媒と前記給湯用の水との間の熱交換と、前記冷媒と前記暖房用の水との間の熱交換を行わせる、
水熱交換器。
【請求項８】
前記第２の扁平管を流れる前記給湯用の水および前記第３の扁平管を流れる前記暖房用の水は、同一の方向に流れ、
前記第１の扁平管を流れる前記冷媒は、前記給湯用の水および前記暖房用の水が流れる方向と反対の方向に流れる、
請求項７に記載の水熱交換器。
【発明の詳細な説明】
【技術分野】
【０００１】
本発明は、水熱交換器に関する。
【背景技術】
【０００２】
従来、ヒートポンプ式給湯装置では、冷媒回路において、例えば、水と、冷媒（例えば、ＣＯ2冷媒）との間で熱交換を行わせる水熱交換器が利用されている。水熱交換器の一つの種類として、プレート型水熱交換器がある。例えば、特許文献１（特開２０１２−２０２６０８号公報）には、コンパクトなプレート型水熱交換器が記載されている。プレート型水熱交換器では、水を通すプレート（水管）と、冷媒を通す管とを接触させて互いに熱交換させる。
【発明の概要】
【発明が解決しようとする課題】
【０００３】
ところで、近年、給湯システムと暖房システムとの一体化のニーズが出てきた。従来のプレート型水熱交換器を利用して、給湯システムおよび暖房システムの双方の機能を有するシステム（給湯・暖房システム）を構成する場合、システム内に二つの水熱交換器を準備する必要がある。二つの水熱交換器には、給湯用の水を通すプレート（水管）および給湯用の水管に対応する冷媒管からなる水熱交換器と、暖房用の水を通すプレート（水管）および暖房用の水管に対応する冷媒管からなる水熱交換器とが含まれる。すなわち、給湯・暖房システムには、給湯用の水熱交換器と、暖房用の水熱交換器とを設ける必要がある。その結果、水熱交換器が全体として大型化してしまう。
【０００４】
本発明の課題は、給湯用水熱交換器および暖房用水熱交換器を一体化させるとともに、コンパクトな水熱交換器を提供することにある。
【課題を解決するための手段】
【０００５】
本発明の第１観点に係る水熱交換器は、第１の扁平管と、第２の扁平管と、第３の扁平管とを備える。第１の扁平管は、熱源側からの冷媒を通す。第２の扁平管は、給湯用の水を通す。第３の扁平管は、暖房用の水を通す。また、水熱交換器は、第２の扁平管、第１の扁平管、第３の扁平管、第１の扁平管、および第２の扁平管の順番に、少なくとも部分的に積層されて、冷媒と給湯用の水との間の熱交換と、冷媒と暖房用の水との間の熱交換を行わせる。
【０００６】
本発明の第１観点に係る水熱交換器では、熱源側からの冷媒を通す第１の扁平管と、給湯用の水を流す第２の扁平管と、暖房用の水を流す第３の扁平管とが設けられる。水熱交換器では、第２の扁平管、第１の扁平管、第３の扁平管、第１の扁平管、および第２の扁平管の順番に、少なくとも部分的に積層され、冷媒と給湯用の水との間の熱交換と、冷媒と暖房用の水との間の熱交換とが行われる。
【０００７】
これにより、給湯用水熱交換器および暖房用水熱交換器を一体化させるとともに、コンパクトな水熱交換器を提供することができる。
【０００８】
本発明の第２観点に係る水熱交換器は、第１観点に係る水熱交換器であって、第２の扁平管を流れる給湯用の水および第３の扁平管を流れる暖房用の水は、同一の方向に流れ、第１の扁平管を流れる冷媒は、給湯用の水および暖房用の水が流れる方向と反対の方向に流れる。
【０００９】
本発明の第２観点に係る水熱交換器では、給湯用の水および暖房用の水は、同一の方向に流れ、冷媒は、給湯用の水および暖房用の水が流れる方向と反対の方向に流れる。
【００１０】
これにより、効率よく熱交換を行うことができる。
【００１１】
本発明の第３観点に係る水熱交換器は、第２観点に係る水熱交換器であって、冷媒用ヘッダと、冷媒用出入口部と、給湯用ヘッダと、給湯用出入口部と、暖房用ヘッダと、暖房用出入口部とをさらに備える。冷媒用ヘッダは、積層された多数の第１の扁平管の長手方向両端側に、多数の第１の扁平管の積層方向に沿って配置される。冷媒用ヘッダは、多数の第１の扁平管に通す冷媒を集合させる。冷媒用出入口部は、冷媒用ヘッダの長手方向一端に設けられ、冷媒の出入口を構成する。給湯用ヘッダは、積層された多数の第２の扁平管の長手方向両端側に、多数の第２の扁平管の積層方向に沿って配置される。給湯用ヘッダは、多数の第２の扁平管に通す給湯用の水を集合させる。給湯用出入口部は、給湯用ヘッダの長手方向一端に設けられ、給湯用の水の出入口を構成する。暖房用ヘッダは、積層された多数の第３の扁平管の長手方向両端側に、多数の第３の扁平管の積層方向に沿って配置される。暖房用ヘッダは、多数の第３の扁平管に通す暖房用の水を集合させる。暖房用出入口部は、暖房用ヘッダの長手方向一端に設けられ、暖房用の水の出入口を構成する。給湯用ヘッダと暖房用ヘッダとは、第１の扁平管を挟んで対向して配置される。冷媒用ヘッダ、給湯用ヘッダ、および暖房用ヘッダは、水平面に対して平行に近い傾きで配置される。また、給湯用出入口部は、水平面に対して、冷媒用出入口部よりも下方に配置される。
【００１２】
本発明の第３観点に係る水熱交換器では、給湯用ヘッダと暖房用ヘッダとは、第１の扁平管を挟んで対向して配置される。また、冷媒用ヘッダ、給湯用ヘッダ、および暖房用ヘッダが、水平面に対して平行に近い傾きで配置される。さらに、給湯用出入口部は、水平面に対して、冷媒用出入口部よりも下方に配置される。
【００１３】
これにより、給湯用の水の排出が容易になる。
【００１４】
本発明の第４観点に係る水熱交換器は、第２観点に係る水熱交換器であって、冷媒用ヘッダと、冷媒用出入口部と、給湯用ヘッダと、給湯用出入口部と、暖房用ヘッダと、暖房用出入口部とをさらに備える。冷媒用ヘッダは、積層された多数の第１の扁平管の長手方向両端側に、多数の第１の扁平管の積層方向に沿って配置される。冷媒用ヘッダは、多数の第１の扁平管に通す冷媒を集合させる。冷媒用出入口部は、冷媒用ヘッダの長手方向一端に設けられ、冷媒の出入口を構成する。給湯用ヘッダは、積層された多数の第２の扁平管の長手方向両端側に、多数の第２の扁平管の積層方向に沿って配置される。給湯用ヘッダは、多数の第２の扁平管に通す給湯用の水を集合させる。給湯用出入口部は、給湯用ヘッダの長手方向一端に設けられ、給湯用の水の出入口を構成する。暖房用ヘッダは、積層された多数の第３の扁平管の長手方向両端側に、多数の第３の扁平管の積層方向に沿って配置される。暖房用ヘッダは、多数の第３の扁平管に通す暖房用の水を集合させる。暖房用出入口部は、暖房用ヘッダの長手方向一端に設けられ、暖房用の水の出入口を構成する。給湯用ヘッダと暖房用ヘッダとは、第１の扁平管が延びる方向と交差する方向において、同一方向に配置される。冷媒用ヘッダ、給湯用ヘッダ、および暖房用ヘッダは、水平面に対して平行に近い傾きで配置される。また、給湯用出入口部および暖房用出入口部は、水平面に対して、冷媒用出入口部よりも下方に配置される。
【００１５】
本発明の第４観点に係る水熱交換器では、第１の扁平管の出入口の下方には、給湯用の水を通す第２の扁平管の出入口および暖房用の水を通す第３の扁平管の出入口の両方が配置される。
【００１６】
これにより、給湯用の水および暖房用の水の排出が容易になる。
【００１７】
本発明の第５観点に係る水熱交換器は、第３観点または第４観点に係る水熱交換器であって、給湯用の水の出口である給湯用出入口部は、冷媒の入口である冷媒用出入口部の近傍に配置される。
【００１８】
本発明の第５観点に係る水熱交換器では、給湯用の水を通す第２の扁平管の出口が、冷媒を通す第１の扁平管の入口の近傍に配置される。
【００１９】
これにより、高温出湯が必要な給湯用の水を、効率よく熱交換させることができる。
【００２０】
本発明の第６観点に係る水熱交換器は、第４観点または第５観点に係る水熱交換器であって、暖房用出入口部は、給湯用出入口部の熱交換流れ方向内側に配置される。また、給湯用出入口部は、冷媒用出入口部の近傍に配置される。
【００２１】
本発明の第６観点に係る水熱交換器では、暖房用出入口部が、給湯用出入口部の熱交換流れ方向内側に配置され、さらに、給湯用出入口部が、冷媒用出入口部の近傍に配置される。
【００２２】
これにより、給湯用出入口部と暖房用出入口部とを干渉しない位置に配置することができると共に、給湯用の水を効果的に熱交換させることができる。
【００２３】
本発明の第７観点に係る水熱交換器は、第１の扁平管と、第２の扁平管と、第３の扁平管とを備える。第１の扁平管は、熱源側からの冷媒を通す。第２の扁平管は、給湯用の水を通す。第３の扁平管は、暖房用の水を通す。また、第１の扁平管は、多数の冷媒流路穴を有する多穴扁平管である。多数の冷媒流路穴は、第１の方向に並び、冷媒を通す。第２の扁平管および第３の扁平管は、多数の冷媒流路穴が並ぶ第１の方向に並んで配置される。また、冷媒と給湯用の水との間の熱交換と、冷媒と暖房用の水との間の熱交換を行わせる。
【００２４】
本発明の第７観点に係る水熱交換器では、給湯用の水を通す第２の扁平管および暖房用の水を通す第３の扁平管が、冷媒を通す第１の扁平管の多数の冷媒流路穴が並ぶ第１の方向に並んで配置される。また、冷媒と給湯用の水との間の熱交換と、冷媒と暖房用の水との間の熱交換を行わせる。
【００２５】
これにより、一つの冷媒用の扁平管を用いて、給湯用の扁平管を流れる水および暖房用の扁平管を流れる水と冷媒とを効果的に熱交換させることができる。
【００２６】
本発明の第８観点に係る水熱交換器は、第７観点に係る水熱交換器であって、第２の扁平管を流れる給湯用の水および第３の扁平管を流れる暖房用の水は、同一の方向に流れる。また、第１の扁平管を流れる冷媒は、給湯用の水および暖房用の水が流れる方向と反対の方向に流れる。
【００２７】
本発明の第８観点に係る水熱交換器では、給湯用の水および暖房用の水は、同一の方向に流れ、冷媒は、給湯用の水および暖房用の水が流れる方向と反対の方向に流れる。
【００２８】
これにより、効率よく熱交換を行うことができる。
【発明の効果】
【００２９】
本発明の第１観点に係る水熱交換器では、給湯用水熱交換器および暖房用水熱交換器を一体化させるとともに、コンパクトな水熱交換器を提供することができる。
【００３０】
本発明の第２観点に係る水熱交換器では、効率よく熱交換を行うことができる。
【００３１】
本発明の第３観点に係る水熱交換器では、給湯用の水の排出が容易になる。
【００３２】
本発明の第４観点に係る水熱交換器では、給湯用の水および暖房用の水の排出が容易になる。
【００３３】
本発明の第５観点に係る水熱交換器では、高温出湯が必要な給湯用の水を、効率よく熱交換させることができる。
【００３４】
本発明の第６観点に係る水熱交換器では、給湯用出入口部と暖房用出入口部とを干渉しない位置に配置することができると共に、給湯用の水を効果的に熱交換させることができる。
【００３５】
本発明の第７観点に係る水熱交換器では、給湯用水熱交換器および暖房用水熱交換器を一体化させるとともに、コンパクトな水熱交換器を提供することができる。
【００３６】
本発明の第８観点に係る水熱交換器では、効率よく熱交換を行うことができる。
【図面の簡単な説明】
【００３７】
【図１】本発明に係る水熱交換器が採用される給湯暖房システムの例を示す図である。
【図２】本発明に係る水熱交換器が配置される熱源ユニットの例を示す図である。
【図３】本発明に係る水熱交換器の構成の概要を示す図である。
【図４】図３に示す水熱交換器の部分拡大図である。
【図５】熱源ユニットに設置された状態（横たえた状態）の水熱交換器を示す図である。また、流体の流れ方向および出入口部を示す模式図でもある。
【図６】金属プレートの概略平面図である。
【図７】折り曲げられた状態の金属プレートの概略平面図である。
【図８】図６のＩ−Ｉ断面図である。
【図９】図７のＩＩ−ＩＩ断面図である。
【図１０】給湯用水管および給湯用ヘッダを示す図である。
【図１１】暖房用水管および暖房用ヘッダを示す図である。
【図１２】図３の領域Ｒ１におけるＩＩＩ−ＩＩＩ断面図である。
【図１３】変形例Ａに係る水熱交換器を示す図である。
【図１４】変形例Ｂに係る水熱交換器を示す図である。
【図１５】奥行き寸法が大きい扁平管を採用した例を示す図である。また、変形例Ｄに係る水熱交換器を示す図である。
【図１６】変形例Ｄに係る水熱交換器を示す図である。
【図１７】変形例Ｄに係る水熱交換器を示す図である。
【図１８】変形例Ｅおよび変形例Ｆに係る給湯用水管および暖房用水管の幅寸法を説明するための図である。
【図１９】変形例Ｆに係る給湯用水管および暖房用水管の流路を説明するための図である。
【発明を実施するための形態】
【００３８】
以下、図面を参照しながら、本発明の実施形態について説明する。なお、本発明に係る水熱交換器の実施形態は、以下に説明する実施形態に限られるものではなく、発明の要旨を逸脱しない範囲で変更可能である。
【００３９】
なお、本発明に係る水熱交換器１０は、Ｒ４１０Ａ，Ｒ３２，Ｒ１３４ａ，ＨＦＯなどのフロン系冷媒や、ＣＯ2，プロパンなどの自然冷媒を対象とした水熱交換器である。以下の実施形態では、ＣＯ2冷媒を対象とする水熱交換器１０を例に挙げて説明する。
【００４０】
（１）給湯暖房システムの概略構成
本実施形態に係る水熱交換器１０は、図１に示すような給湯暖房システム１に採用される。給湯暖房システム１は、主として、熱源ユニット２と、給湯ユニットと、温水暖房ユニットとからなる。水熱交換器１０は、熱源ユニット２に含まれる（図２参照）。給湯暖房システム１は、一の熱源ユニット２を用いて、給湯ユニットおよび温水暖房ユニットの両方に温水を供給するためのシステムである。熱源ユニット２は、屋外に１台設置されている。給湯ユニットおよび温水暖房ユニットは、それぞれ屋内に１台ずつ設置されている。
【００４１】
熱源ユニット２には、水熱交換器１０の他、圧縮機４と、膨張弁５と、空気熱交換器２４と水循環ポンプ３２とを有している。圧縮機４は、冷媒であるＣＯ2を圧縮する。水熱交換器１０は、ＣＯ2と水との間で熱交換を行う。膨張弁５は、ＣＯ2の減圧手段として機能する。空気熱交換器２４は、外気とＣＯ2との間で熱交換を行う。水循環ポンプ３２は、温水暖房ユニットへ水を循環させる。熱源ユニット２では、これらの機器が接続されることによって冷媒回路２０が構成されている。
【００４２】
給湯ユニットは、給湯タンクおよびポンプ等からなる給湯回路を有する。給湯タンクには、給湯に利用される水媒体としての水が溜められる。給湯タンクに溜められた水は、その後、蛇口やシャワー等に送られて使用される。
【００４３】
温水暖房ユニットは、熱交換パネル等からなる温水循環回路を有する。熱交換パネルは、床暖房パネルであって、空調対象空間の床下等に設けられる。熱交換パネルは、温水循環回路を循環する水媒体の放熱器として機能する。
【００４４】
給湯暖房システム１では、熱源ユニット２によって得られる熱を、給湯ユニットおよび温水暖房ユニットの双方の熱として利用する。言い換えると、熱源ユニット２で得られた熱が、給湯用および暖房用の両方の熱として利用される。
【００４５】
（２）熱源ユニットの内部構造
図２は、水熱交換器１０が含まれる熱源ユニット２の内部構造を模式的に示す。図２において、断熱壁２ｃの右側区画が機械室２ａであり、断熱壁２ｃの左側区画が送風機室２ｂである。機械室２ａには、圧縮機４や膨張弁５が配置されている。送風機室２ｂには、ファン７が配置されている。空気水熱交換器６は、図２において、送風機室２ｂの左側と背面側に配置されている。送風機室２ｂの下方には、断熱壁２ｄを隔てて水熱交換器１０が配置されている。水熱交換器１０では、冷媒回路を循環するＣＯ2と、温水循環回路を循環する水（暖房用水）および給湯回路に送られる水（給湯用水）との間で熱交換が行われる。機械室２ａの上部には、制御ボックス９が配置されている。
【００４６】
水熱交換器１０は、熱源ユニット２において、後述するヘッダ４１，４２，５１，５２，６１，６２が延びる方向が水平面に対して平行に近い傾きになるように配置される。具体的に、水熱交換器１０は、図３に示す高さ方向が、設置面に対して略平行になるように配置される。より具体的に、水熱交換器１０は、熱源ユニット２に配置される際、側面視で図５に示すような態様を有する。すなわち、図３の高さ方向は、図５の奥行き方向に対応し、図３の奥行き方向は、図５の上下方向（高さ方向）に対応する。
【００４７】
以下、水熱交換器１０の構成について詳細に説明する。なお、以下の説明において、図３に示す水熱交換器１０の態様を、起立状態と呼び、図５に示す水熱交換器１０の態様を横たえた状態と呼ぶ。
【００４８】
（３）水熱交換器の構成の概要
図３は、水熱交換器１０の全体構成図である。図４は、図３の部分拡大図である。図５は、熱源ユニット２に設置された状態（横たえた状態）の水熱交換器１０を示す図である。図５では、流体の流れ方向およびヘッダの出入口部が模式的に示されている。図６から図９は、水熱交換器１０を構成するための部材（金属プレート）１８０を説明するための図である。図１０は、給湯用水管５０および給湯用ヘッダ５１，５２を示す図である。図１１は、暖房用水管６０および暖房用ヘッダ６１，６２を示す図である。また、図１２は、図３の領域Ｒ１におけるＩＩＩ−ＩＩＩ断面図である。
【００４９】
水熱交換器１０は、冷媒（ここでは、圧縮機４から吐出される冷媒）と水（ここでは、給湯ユニットおよび温水暖房ユニットに送られる水）とを熱交換させる。
【００５０】
図３から図５、および図１２のいずれかに示すように、水熱交換器１０は、主として、多数の冷媒管（第１の扁平管）４０と、冷媒用ヘッダ４１，４２と、多数の給湯用水管（第２の扁平管）５０と、給湯用ヘッダ５１，５２と、多数の暖房用水管（第３の扁平管）６０と、暖房用ヘッダ６１，６２とから構成されている。
【００５１】
冷媒管４０、給湯用水管５０、および暖房用水管６０は、いずれも扁平な面を有する管（扁平管）である。多数の冷媒管４０、多数の給湯用水管５０、および多数の給湯用水管５０は、それぞれ、扁平な面が互いに対向するような状態で積層される。冷媒管４０、給湯用水管５０、および暖房用水管６０は、所定の順番に従って、積層されている。冷媒管４０、給湯用水管５０、および暖房用水管６０が積層される順番（積層構造）については、追って詳細に説明する。
【００５２】
冷媒管４０、給湯用水管５０、および暖房用水管６０は、ロウ付け接合される。冷媒管４０、給湯用水管５０、および暖房用水管６０は、ロウ付け接合によって互いに密着する。これにより、水熱交換器１０では、冷媒管４０の内部を流れる冷媒と、給湯用水管５０および暖房用水管６０の内部を流れる水と間で熱交換を行って、給湯用水管５０および暖房用水管６０の内部の水を加熱するように構成されている。
【００５３】
図３および図４に示すように、水熱交換器１０が起立状態のとき、多数の冷媒管４０、多数の給湯用水管５０、および多数の給湯用水管５０のそれぞれは、扁平な面が水平面に対して平行になるように配置される。さらに、図５に示すように、水熱交換器１０が横たえた状態（設置された状態）のとき、多数の冷媒管４０、多数の給湯用水管５０、および多数の給湯用水管５０のそれぞれは、扁平な面が水平面に対して垂直に近い傾きになるように配置される。
【００５４】
なお、図３および図４には、１５本の給湯用水管５０と１６本の冷媒管４０とが表れているが、図３および図４に示す水熱交換器１０を、背面側から見た場合には、１５本の暖房用水管６０と１６本の冷媒管４０とが表れる（図５参照）。すなわち、本実施形態における水熱交換器１０では、１５本の給湯用水管５０、１５本の暖房用水管６０、および１６本の冷媒管４０が積層されているものとする。
【００５５】
なお、積層される給湯用水管５０、暖房用水管６０、および冷媒管４０の数は、要求される性能などに応じて適宜選定されるものである。また、図３および図４の例では、最下段と最上段に冷媒管４０が配置されているが、給湯用水管５０および暖房用水管６０を最下段や最上段に配置することもできる。
【００５６】
（３−１）冷媒管
冷媒管４０には、高圧により超臨界状態になっている冷媒が流される。冷媒管４０は、扁平な形状を有する管（第１の扁平管）である。具体的に、冷媒管４０は、多数の冷媒流路穴４０ａを有する多穴扁平管である。図１２で示す冷媒管４０は、１９個の冷媒流路穴４０ａを有する。複数の冷媒流路穴４０ａは、冷媒管４０の幅方向（図３および図４の奥行き方向）に一列に並ぶ。冷媒流路穴４０ａは、冷媒管４０の長手方向に延び、内部に冷媒を通す。尚、冷媒流路穴４０ａの数は、１９個に限定されるものではない。
【００５７】
冷媒管４０は、アルミニウム、アルミニウム合金、銅合金、ステンレスなどで形成される。また、冷媒管４０は、引き抜き加工や押し出し加工により製造されている。
【００５８】
（３−２）冷媒用ヘッダ
冷媒用ヘッダ４１，４２は、多数の冷媒管４０に接続され、接続された多数の冷媒管４０の内部に通される冷媒を集合させる。冷媒用ヘッダ４１，４２で集合した冷媒は、多数の冷媒管４０に分配される。冷媒用ヘッダ４１，４２には、冷媒用第１ヘッダ４１および冷媒用第２ヘッダ４２が含まれる。
【００５９】
冷媒用第１ヘッダ４１および冷媒用第２ヘッダ４２は、それぞれ、多数の冷媒管４０が積層される方向に沿って延びる態様で配置される。また、図３に示すように、冷媒用第１ヘッダ４１および冷媒用第２ヘッダ４２は、多数の冷媒管４０の長手方向両端部にそれぞれ接続される。
【００６０】
具体的に、冷媒用第１ヘッダ４１は、図３に示す水熱交換器１０において、冷媒管４０の長手方向第１端側（右側）に配置されている。冷媒用第１ヘッダ４１は、多数の冷媒管４０の長手方向第１端側で複数の冷媒管４０に接続する。また、冷媒用第２ヘッダ４２は、図３に示す水熱交換器１０において、冷媒管４０の長手方向第２端側（左側）に配置されている。冷媒用第２ヘッダ４２は、多数の冷媒管４０の長手方向第２端側で複数の冷媒管４０に接続する。
【００６１】
図５に示すように水熱交換器１０を横たえた状態のとき、冷媒用第１ヘッダ４１および冷媒用第２ヘッダ４２は、冷媒管４０の長手方向における中心位置ＣＰから最も遠い位置に配置される。また、水熱交換器１０の横たえた状態のとき、冷媒用第１ヘッダ４１および冷媒用第２ヘッダ４２は、図５に示すように、水熱交換器１０の長手方向に沿った中心線Ｃ２に沿った位置に配置される。言い換えると、冷媒用第１ヘッダ４１および冷媒用第２ヘッダ４２は、冷媒管４０の先端に接続されている。
【００６２】
なお、冷媒用第１ヘッダ４１および冷媒用第２ヘッダ４２は、それぞれ、冷媒用出入口部４１ｂ，４２ｂと、仕切り部材４１ａ，４２ａとを有する。以下、冷媒用出入口部４１ｂ，４２ｂおよび仕切り部材４１ａ，４２ａについて説明する。
【００６３】
（３−２−１）冷媒用出入口部
冷媒用出入口部４１ｂ，４２ｂは、冷媒用第１ヘッダ４１および冷媒用第２ヘッダ４２の内部へと冷媒を送る、あるいは、冷媒用第１ヘッダ４１および冷媒用第２ヘッダ４２の内部から冷媒を排出するための部分である。
【００６４】
冷媒用第１ヘッダ４１は、冷媒の出入口を構成する冷媒用第１出入口部４１ｂを有する（図３参照）。また、冷媒用第２ヘッダ４２は、冷媒の出入口を構成する冷媒用第２出入口部４２ｂを有する（図３参照）。冷媒用第１出入口部４１ｂは、冷媒用第１ヘッダ４１の長手方向において第１端部の先端の位置に設けられる。冷媒用第２出入口部４２ｂは、冷媒用第２ヘッダ４２の長手方向において第２端部の先端の位置に設けられる。
【００６５】
冷媒は、図３の実線矢印で示すように、冷媒用第２出入口部４２ｂを介して水熱交換器１０の内部に流れ込み、多数の冷媒管４０の内部を通って、冷媒用第１出入口部４１ｂを介して水熱交換器１０の外部へ流れ出る。
【００６６】
（３−２−２）仕切り部材
仕切り部材４１ａ，４２ａは、冷媒用ヘッダ４１，４２内の冷媒の流動経路を変更させる。仕切り部材４１ａ，４２ａは、冷媒用ヘッダ４１，４２の内部に設けられ、冷媒用ヘッダ４１，４２の内部空間を、長手方向において分断する。その結果、冷媒用第１ヘッダ４１および冷媒用第２ヘッダ４２の内部空間は、図３に示す冷媒用第１ヘッダ４１および冷媒用第２ヘッダ４２の長手方向にそれぞれ並ぶ、複数の小空間ｒ１〜ｒ３，ｒ４〜ｒ６に区切られる。
【００６７】
図３では、仕切り部材４１ａ，４２ｂによって、内部空間がそれぞれ３つの小空間ｒ１〜ｒ３，ｒ４〜ｒ６に区切られた例を説明する。この場合、冷媒用第２出入口部４２ｂを介して冷媒用第２ヘッダ４２に流れ込んだ冷媒は、小空間ｒ１から、小空間ｒ１に隣接する４段の冷媒管４０に分配される（図４の実線矢印参照）。その後、冷媒は、冷媒管４０の内部を左から右に流れて、冷媒用第１ヘッダ４１の小空間ｒ４で集合する（図３参照）。小空間ｒ４で集合した冷媒は、小空間ｒ４に隣接する７段の冷媒管４０うち、下３段の冷媒管４０に分配される。その後、冷媒は、冷媒管４０の内部を右から左に流れて、冷媒用第２ヘッダ４２の小空間ｒ２で集合する（図４の実線矢印参照）。小空間ｒ２で集合した冷媒は、図４に示すように、小空間ｒ２に隣接する６段の冷媒管４０うち、下３段の冷媒管４０に分配される。その後、冷媒は、冷媒管４０の内部を左から右に流れて、冷媒用第１ヘッダ４１の小空間ｒ５で集合する（図３参照）。小空間ｒ５で集合した冷媒は、小空間ｒ５に隣接する６段の冷媒管４０うち、下３段の冷媒管４０に分配される。その後、冷媒は、冷媒管４０の内部を右から左に流れて、冷媒用第２ヘッダ４２の小空間ｒ３で集合する（図４の実線矢印参照）。小空間ｒ３で集合した冷媒は、図４に示すように、小空間ｒ３に隣接する６段の冷媒管４０うち、下３段の冷媒管４０に分配される。その後、冷媒は、冷媒管４０の内部を左から右に流れて、冷媒用第１ヘッダ４１の小空間ｒ６で集合する（図３参照）。その後、冷媒は、冷媒用第１出入口部４１ｂを介して、冷媒用第１ヘッダ４１の外に流れ出る。すなわち、冷媒用第２出入口部４２ｂを介して冷媒用第２ヘッダ４２に流れ込んだ冷媒は、各小空間に達する度に進行方向を変更しながら、図４に示す水熱交換器１０の上方から下方へと流れ、冷媒用第１出入口部４１ｂを介して、冷媒用第１ヘッダ４１の外に流れ出る（図４の実線矢印参照）。冷媒は、冷媒管４０の中を流れる間に、給湯用水管５０の内部を流れる水および暖房用水管６０の内部を流れる水によって熱を奪われて冷却される。
【００６８】
（３−３）給湯用水管
給湯用水管５０は、給湯ユニットに送られる給湯用水を通す。給湯用水管５０は、内部に通す給湯用水と、冷媒管４０に通される冷媒との間で熱交換を行わせる。給湯用水管５０には、給湯用水が流される。
【００６９】
給湯用水管５０は、扁平な形状を有する管（第２の扁平管）である。具体的に、給湯用水管５０は、図３および図４の左右方向に延びる長辺を有する。また、給湯用水管５０は、図３および図４の奥行き方向に延びる短辺を有する。さらに、給湯用水管５０は、図３および図４の上下方向に所定の厚みを有する。給湯用水管５０の厚み寸法は、短辺の寸法（幅の寸法）よりも小さい。図３および図４の左右方向は、図５の左右方向に対応し、図３および図４の奥行き方向は、図５の上下方向に対応する。
【００７０】
図５に示すように、給湯用水管５０の長辺の寸法ｄ２１は、冷媒管４０の長辺の寸法ｄ１１よりも短い。一方、給湯用水管５０の短辺の寸法ｄ２２は、冷媒管４０の短辺の寸法ｄ１２よりも長い。給湯用水管５０は、内部に給湯用水の流路ｐ１を有する。流路ｐ１は、給湯用水管５０の長辺方向に延びる。
【００７１】
給湯用水管５０は、水の腐食性を考慮して、ステンレスや銅合金を用いることが好ましい。ステンレスの種類としては、例えば、ＳＵＳ３０４やＳＵＳ３１６などがある。給湯用水管５０は、アルミニウムやアルミニウム合金からつくることもできるが、その場合には、内面に、アルマイト加工や樹脂コーティングなどの防食処理を施すことが好ましい。
【００７２】
給湯用水管５０は、後述する金属プレート８０を用いて、後述する給湯用ヘッダ連結部５０ａと一体的に成形される（図６および図７参照）。
【００７３】
（３−４）給湯用ヘッダ
給湯用ヘッダ５１，５２は、給湯用水管５０の長手方向両端部近傍で、給湯用水管５０に通される給湯用水を集合させる。給湯用ヘッダ５１，５２のそれぞれで集合した給湯用水は、複数の給湯用水管５０に分配される。
【００７４】
図３および図４に示すように、給湯用ヘッダ５１，５２は、それぞれ、多数の給湯用水管５０が積層される方向に沿って延びる態様で設けられる。給湯用ヘッダ５１，５２は、給湯用第１ヘッダ５１および給湯用第２ヘッダ５２を含む。給湯用第１ヘッダ５１は、図３において、多数の給湯用水管５０の長手方向第１端側（右側）で、複数の給湯用水管５０と連結する。給湯用第２ヘッダ５２は、図３において、多数の給湯用水管５０の長手方向第２端側（左側）で、複数の給湯用水管５０と連結する。
【００７５】
なお、給湯用ヘッダ５１，５２は、多数の給湯用水管５０の長手方向端部近傍において、冷媒用ヘッダ４１，４２と干渉しないような位置に配置される。
【００７６】
具体的には、図５に示すように、給湯用ヘッダ５１，５２は、冷媒用ヘッダ４１，４２の近傍であって、冷媒管４０の長手方向における中心位置ＣＰに対して冷媒用ヘッダ４１，４２よりも近い位置に配置される。言い換えると、給湯用ヘッダ５１，５２は、水熱交換器１０の長手方向において、冷媒用ヘッダ４１，４２よりも内側に配置されている。
【００７７】
また、水熱交換器１０を横たえた状態のとき、給湯用ヘッダ５１，５２は、冷媒用ヘッダ４１，４２よりも、中心線Ｃ２に対して外側に配置される。中心線Ｃ２とは、水熱交換器１０を横たえた状態のとき、冷媒管４０の高さ方向中心を通る線である。給湯用ヘッダ５１，５２は、中心線Ｃ２に対して、冷媒用ヘッダ４１，４２よりも遠い位置に配置される。より具体的に、給湯用ヘッダ５１，５２は、中心線Ｃ２に対して下方に配置される。すなわち、水熱交換器１０を横たえた状態のとき、給湯用ヘッダ５１，５２は、冷媒用ヘッダ４１，４２よりも下方に位置する。
【００７８】
給湯用ヘッダ５１，５２は、図１０および図１２に示すように、主として、給湯用ヘッダ連結部５０ａおよび継ぎ部５０ｄによって構成されている。給湯用ヘッダ５１，５２には、給湯用出入口部（第２出入口部）５１ｂ，５２ｂが取り付けられる（図５参照）。また、給湯用ヘッダ５１，５２の内部には、仕切り部材が設けられる。以下、給湯用ヘッダ連結部５０ａ、継ぎ部５０ｄ、給湯用出入口部５１ｂ，５２ｂ、および仕切り部材について説明する。また、給湯用ヘッダ連結部５０ａを給湯用水管５０と一体的に形成するための金属プレート８０についてもあわせて説明する。
【００７９】
（３−４−１）給湯用ヘッダ連結部
給湯用ヘッダ連結部５０ａは、後述する継ぎ部５０ｄを連結させる部分である。給湯用ヘッダ連結部５０ａは、給湯用水管５０の長辺方向（長手方向）において両端の近傍にそれぞれ配置される。具体的に、給湯用ヘッダ連結部５０ａは、給湯用水管５０の長辺方向の両端部近傍であって、上述の給湯用水管５０の短辺方向における一端側に二箇所配置されている。
【００８０】
二つの給湯用ヘッダ連結部５０ａは、それぞれ、図５に示すように、上述の給湯用水管５０の短辺方向外側に向けて弧を描くように突出した形状を有する。また、図７に示すように、給湯用ヘッダ連結部５０ａには、それぞれ、円形の開口部５０ｃが形成されている。給湯用ヘッダ連結部５０ａに継ぎ部５０ｄが連結されることによって、複数の継ぎ部５０ｄの内部が開口部５０ｃを介して連通する（図１０参照）。すなわち、給湯用ヘッダ連結部５０ａと継ぎ部５０ｄとが連結されることによって、給湯用ヘッダ５１，５２の内部空間が形成される。
【００８１】
なお、給湯用ヘッダ連結部５０ａは、上述したように、金属プレート８０を用いて、給湯用水管５０と一体的に形成される（図５参照）。
【００８２】
（３−４−２）継ぎ部
継ぎ部５０ｄは、複数の給湯用ヘッダ連結部５０ａを継ぐための部材である。継ぎ部５０ｄは、筒状の部材である。すなわち、継ぎ部５０ｄは、内部に空洞を有する。
【００８３】
継ぎ部５０ｄの上端は、一の給湯用ヘッダ連結部５０ａに連結され、継ぎ部５０ｄの下端は、他の給湯用ヘッダ連結部５０ａに連結される（図１０参照）。複数の給湯用ヘッダ連結部５０ａが継ぎ部５０ｄによって継がれることにより、図１０に示すように、給湯用ヘッダ５１，５２が形成される。継ぎ部５０ｄの上端および下端は、それぞれ、給湯用ヘッダ連結部５０ａに形成された開口部５０ｃに連結される（図７参照）。また、継ぎ部５０ｄは、ロウ付又は溶接によって給湯用ヘッダ連結部５０ａに接合される。
【００８４】
なお、継ぎ部５０ｄも、給湯用水管５０と同様、水の腐食性を考慮して、ステンレスや銅合金を用いることが好ましい。
【００８５】
（３−４−３）給湯用出入口部
給湯用出入口部５１ｂ，５２ｂは、給湯用第１ヘッダ５１および給湯用第２ヘッダ５２へと給湯用水を送る、あるいは、給湯用第１ヘッダ５１および給湯用第２ヘッダ５２から給湯用水を排出するための部分である。
【００８６】
具体的には、図３および図５に示すように、給湯用第１ヘッダ５１は、給湯用水の出入口を構成する給湯用第１出入口部５１ｂを有し、給湯用第２ヘッダ５２は、給湯用水の出入口を構成する給湯用第２出入口部５２ｂを有する。給湯用第１出入口部５１ｂは、給湯用第１ヘッダ５１の長手方向において第１端部の先端の位置に設けられる。給湯用第２出入口部５２ｂは、給湯用第２ヘッダ５２の長手方向において第２端部の先端の位置に設けられる。
【００８７】
給湯用出入口部５１ｂ，５２ｂのそれぞれは、冷媒用出入口部４１ｂ，４２ｂの近傍に配置されている。また、水熱交換器１０を横たえたとき、給湯用出入口部５１ｂ，５２ｂのそれぞれは、冷媒用出入口部４１ｂ，４２ｂよりも下方に配置される。
【００８８】
給湯用水は、図３および図５の破線矢印で示すように、給湯用第１出入口部５１ｂを介して水熱交換器１０の内部に流れ込み、多数の給湯用水管５０の内部を通って、給湯用第２出入口部５２ｂを介して水熱交換器１０の外部へ流れ出る。
【００８９】
（３−４−４）仕切り部材
給湯用第１ヘッダ５１および給湯用第２ヘッダ５２もまた、冷媒用第１ヘッダ４１および冷媒用第２ヘッダ４２と同様に、それぞれ、内部に複数の仕切り部材（図示なし）を有する。仕切り部材によって、給湯用第１ヘッダ５１および給湯用第２ヘッダ５２の内部に流れ込む給湯用水の流動経路が変更される。
【００９０】
具体的に、仕切り部材は、給湯用第１ヘッダ５１および給湯用第２ヘッダ５２の内部空間を、長手方向において分断する。その結果、給湯用第１ヘッダ５１および給湯用第２ヘッダ５２の内部には、図３に示す給湯用第１ヘッダ５１および給湯用第２ヘッダ５２の長手方向に並ぶ、複数の小空間が形成される。給湯用第１出入口部５１ｂを介して給湯用第１ヘッダ５１に流れ込んだ給湯用水は、各小空間に達する度に進行方向を変更しながら、図３に示す水熱交換器１０の下方から上方へと流れ、給湯用第２出入口部５２ｂを介して、給湯用第２ヘッダ５２の外に流れ出る（図３および図４の破線矢印参照）。給湯用水は、給湯用水管５０の中を流れる間に、冷媒管４０内部を流れる冷媒から与えられる熱によって加熱される。なお、給湯用第１ヘッダ５１および給湯用第２ヘッダ５２内の仕切り部材は、給湯用水が、冷媒の流れに対向する方向に流れるように、給湯用第１ヘッダ５１および給湯用第２ヘッダ５２内に配置されている。
【００９１】
（３−５）金属プレートの構成
次に、図６から図９を用いて、給湯用水管５０および給湯用ヘッダ連結部５０ａを一体的に形成するための金属プレート８０の構成について説明する。図６は、金属プレート８０の概略平面図である。図７は、折り曲げられた状態の金属プレート８０の概略平面図である。図８は、図６のＩ−Ｉ線断面図である。
【００９２】
図６に示すように、金属プレート８０は、主として、第１プレート８０１および第２プレート８０２からなる。第１プレート８０１および第２プレート８０２は、図６の紙面において、左右方向に延びる中心線Ｃ１を基準に、上下に対称の外形を有する。中心線Ｃ１に沿って、第１プレート８０１および第２プレート８０２のいずれか一方が折り曲げられることにより、図７に示すように、給湯用水管５０および給湯用ヘッダ連結部５０ａが形成される。言い換えると、給湯用水管５０および給湯用ヘッダ連結部５０ａは、金属プレート８０が中心線Ｃ１に沿って折り曲げられることにより形成される。
【００９３】
具体的に、第１プレート８０１は、矩形部８１および突出部８６，８７を有し、第２プレート８０２は、矩形部８２および突出部８８，８９を有する。矩形部８１，８２は、図６において、左右に延びる部分である。突出部８６〜８９は、図６において、矩形部８１，８２から上下方向に突出する部分である。金属プレート８０が折り曲げられたとき、矩形部８１，８２は、上述の給湯用水管５０を構成し、突出部８６〜８９は、上述の給湯用ヘッダ連結部５０ａを構成する。したがって、図６および図７に示すように、矩形部８１，８２の長辺寸法ｄ２１および短辺寸法ｄ２２は、給湯用水管５０の長辺寸法ｄ２１および短辺寸法ｄ２２にそれぞれ対応し、突出部８６〜８９の突出方向の寸法ｄ２３は、給湯用ヘッダ連結部５０ａの突出方向の寸法ｄ２３に対応する。
【００９４】
突出部８６，８７は、第１プレート８０１の短辺方向一端側であって、中心線Ｃ１と対向する位置にある第１端に配置される。また、突出部８６，８７は、第１プレート８０１の長辺方向において両端の近傍にそれぞれ配置される。
【００９５】
また、突出部８８，８９は、第２プレート８０２の短辺方向一端側であって、中心線Ｃ１と対向する位置にある第２端に配置される。また、突出部８８，８９は、第２プレート８０２の長辺方向において両端の近傍にそれぞれ配置される。
【００９６】
金属プレート８０には、開口形成部９１〜９４、凸面部８３、凹面部９８、および平滑部９５が形成されている。開口形成部９１〜９４、凸面部８３、凹面部９８、および平滑部９５は、例えば、プレス加工によって形成される。
【００９７】
開口形成部９１〜９４は、金属プレート８０が折り曲げられた際、開口部５０ｃを構成する部分である（図７参照）。開口形成部９１〜９４は、各突出部８６〜８９に、それぞれ形成されている。４つの開口形成部９１〜９４の寸法は、全て同じである。開口形成部９１〜９４の寸法は、給湯用水管５０に流す給湯用水の流量に合わせて設計される。開口形成部９１〜９４は、孔の周辺を取り囲む第１面を有する。第１面は、後述する凹面部９８に対して交差する方向に延びる。
【００９８】
具体的に、金属プレート８０が折り曲げられる前、第１プレート８０１の開口形成部９１，９２は、凹面部９８に対して下向きに延びる第１面を有する（図６参照）。また、第２プレート８０２の開口形成部９３，９４は、金属プレート８０が折り曲げられる前、凹面部９８に対して上向きに延びる第１面を有する（図６参照）。
【００９９】
なお、図５に示す開口形成部９１〜９４の形状は、いずれも円形であるが、開口形成部９１〜９４の形状は、水漏れし難い形状であれば、円形以外の形状であってもよい。
【０１００】
凸面部８３は、金属プレート８０の外縁および中心線Ｃ１に沿って長手方向に延びる中央部分８５に設けられている。凸面部８３は、金属プレート８０の他の部分に比べて最も上方の高さ位置で延びる面である。凹面部９８は、開口形成部９１〜９４の周囲で延びる面である。凹面部９８は、金属プレート８０の他の部分に比べて最も下方の高さ位置で延びる。
【０１０１】
平滑部９５は、開口形成部９１〜９４、凸面部８３、および凹面部９８以外の部分である。平滑部９５は、凸面部８３よりも下の高さ位置に延び、凹面部９８よりも上の高さ位置に延びる面である。平滑部９５には、また、ディンプル２５が設けられている。ディンプル２５は、金属プレート８０が折り曲げられたとき、上下方向に交互の平面位置にあるように、平滑部９５に設けられる。
【０１０２】
図９は、図７のＩＩ−ＩＩ断面図である。すなわち、図９は、図６および図８に示される金属プレート８０が、中心線Ｃ１（すなわち、中央部分８５の中心）に沿って折り曲げられた状態を示す。金属プレート８０が折り曲げられると、図９に示すように、凸面部８３が重なり、第１プレート８０１と第２プレート８０２とが対向する。重なり合った凸面部８３は、二重巻締めによってシールされる。このとき、対向する第１プレート８０１および第２プレート８０２の間には、平滑部９５によって、給湯用水が通る流路ｐ１が形成される（図９参照）。流路ｐ１は、給湯用ヘッダ連結部５０ａまで続く。金属プレート８０を折り曲げた際に、金属プレート８０のうち流路ｐ１を形成する部分が、給湯用水管５０となる。また、金属プレート８０を折り曲げた際に、金属プレート８０のうち開口部５０ｃを構成する部分およびその周辺が、給湯用ヘッダ連結部５０ａとなる。
【０１０３】
（３−６）暖房用水管
暖房用水管６０は、温水暖房ユニットに送られる暖房用水を通す。暖房用水管６０は、内部に通す暖房用水と、冷媒管４０に通される冷媒との間で熱交換を行わせる。暖房用水管６０には、暖房用水が流される。
【０１０４】
暖房用水管６０もまた、扁平な形状を有する管（第３の扁平管）である。暖房用水管６０は、上述した給湯用水管５０と同様の形状を有する。すなわち、暖房用水管６０は、図３および図４の左右方向に延びる長辺を有する。また、暖房用水管６０は、図３および図４の奥行き方向に延びる短辺を有する。さらに、暖房用水管６０は、図３および図４の上下方向に所定の厚みを有する。暖房用水管６０の厚み寸法は、短辺の寸法（幅の寸法）よりも小さい。図３および図４の左右方向は、図５の左右方向に対応し、図３および図４の奥行き方向は、図５の上下方向に対応する。暖房用水管６０は、図３および図４には表れていないが、図３および図４に示す水熱交換器１０の背面側に配置されている。
【０１０５】
暖房用水管６０の長辺の寸法および短辺の寸法は、給湯用水管５０の長辺の寸法ｄ２１および短辺の寸法ｄ２２と同じである。すなわち、暖房用水管６０の長辺の寸法ｄ２１は、冷媒管４０の長辺の寸法ｄ１１よりも短い。また、暖房用水管６０の短辺の寸法ｄ２２は、冷媒管４０の短辺の寸法ｄ１２よりも長い。暖房用水管６０もまた、内部に給湯用水の流路ｐ１を有する。流路ｐ１は、暖房用水管６０の長辺方向に延びる。
【０１０６】
暖房用水管６０もまた、水の腐食性を考慮して、ステンレスや銅合金を用いることが好ましい。ステンレスの種類としては、例えば、ＳＵＳ３０４やＳＵＳ３１６などがある。暖房用水管６０は、アルミニウムやアルミニウム合金からつくることもできるが、その場合には、内面に、アルマイト加工や樹脂コーティングなどの防食処理を施すことが好ましい。
【０１０７】
暖房用水管６０は、上述の給湯用水管５０と同様に、金属プレート８０を用いて、後述する暖房用ヘッダ連結部６０ａと一体的に成形される（図６参照）。
【０１０８】
（３−７）暖房用ヘッダ
暖房用ヘッダ６１，６２は、暖房用水管６０の長手方向両端部近傍で、暖房用水管６０に通される暖房用水を集合させる。暖房用ヘッダ６１，６２のそれぞれで集合した暖房用水は、複数の暖房用ヘッダ６１，６２に分配される。
【０１０９】
暖房用ヘッダ６１，６２もまた、給湯用ヘッダ５１，５２と同様に、それぞれ、多数の暖房用水管６０が積層される方向に沿って延びる態様で設けられる（図３および図４に参照）。暖房用ヘッダ６１，６２は、暖房用第１ヘッダ６１および暖房用第２ヘッダ６２を含む。暖房用第１ヘッダ６１は、図３において、多数の暖房用水管６０の長手方向第１端側（右側）で、複数の暖房用水管６０と連結する。暖房用第２ヘッダ６２は、図３において、多数の暖房用水管６０の長手方向第２端側（左側）で、複数の暖房用水管６０と連結する。
【０１１０】
なお、暖房用ヘッダ６１，６２もまた、給湯用ヘッダ５１，５２と同様に、多数の暖房用水管６０の長手方向端部近傍において、冷媒用ヘッダ４１，４２と干渉しないような位置に配置される。
【０１１１】
具体的には、図５に示すように、暖房用ヘッダ６１，６２は、冷媒用ヘッダ４１，４２の近傍であって、冷媒管４０の長手方向における中心位置ＣＰに対して冷媒用ヘッダ４１，４２よりも近い位置に配置される。言い換えると、暖房用ヘッダ６１，６２は、水熱交換器１０の長手方向において、冷媒用ヘッダ４１，４２よりも内側に配置されている。
【０１１２】
また、水熱交換器１０の横たえた状態のとき、暖房用ヘッダ６１，６２は、冷媒用ヘッダ４１，４２よりも、中心線Ｃ２に対して外側に配置される。中心線Ｃ２とは、上述したように、水熱交換器１０を横たえた状態のとき、冷媒管４０の高さ方向中心を通る線である。暖房用ヘッダ６１，６２は、中心線Ｃ２に対して、冷媒用ヘッダ４１，４２よりも遠い位置に配置される。より具体的に、暖房用ヘッダ６１，６２は、中心線Ｃ２に対して上方に配置される。すなわち、水熱交換器１０を横たえた状態のとき、暖房用ヘッダ６１，６２は、冷媒用ヘッダ４１，４２よりも上方に位置する。
【０１１３】
このように、水熱交換器１０を横たえた状態のとき、冷媒用ヘッダ４１，４２に対して、給湯用ヘッダ５１，５２を上方、暖房用ヘッダ６１，６２を下方にそれぞれ配置するように構成する。これによって、図５に示すように、暖房用ヘッダ６１，６２は、給湯用ヘッダ５１，５２との関係でも干渉しないような位置に配置される。また、本実施形態において、暖房用ヘッダ６１，６２は、水熱交換器１０の奥行き方向（幅方向）中心を通る中心線Ｃ２に対して、給湯用ヘッダ５１，５２と対称の位置に配置される。すなわち、暖房用ヘッダ６１，６２は、冷媒管４０を挟んで、給湯用ヘッダ５１，５２と対向する位置に配置されている。
【０１１４】
暖房用ヘッダ６１，６２は、図１１および図１２に示すように、主として、暖房用ヘッダ連結部６０ａおよび継ぎ部６０ｄによって構成されている。暖房用ヘッダ６１，６２には、暖房用出入口部６１ｂ，６２ｂが取り付けられる（図５参照）。また、暖房用ヘッダ６１，６２の内部には、仕切り部材が設けられる。以下、暖房用ヘッダ連結部６０ａ、継ぎ部６０ｄ、暖房用出入口部６１ｂ，６２ｂ、および仕切り部材について説明する。
【０１１５】
なお、暖房用ヘッダ連結部６０ａは、給湯用ヘッダ連結部５０ａが給湯用水管５０と一体的に形成されるのと同様、金属プレートによって、暖房用水管６０と一体的に形成される。金属プレートの構成は、給湯用ヘッダ連結部５０ａおよび給湯用水管５０を一体的に形成するための金属プレート８０と同じである。したがって、暖房用ヘッダ連結部６０ａおよび暖房用水管６０を一体的に形成するための金属プレートの構成に関する説明は、省略する。
【０１１６】
（３−７−１）暖房用ヘッダ連結部
暖房用ヘッダ連結部６０ａは、後述する継ぎ部６０ｄを連結させる部分である。暖房用ヘッダ連結部６０ａもまた、給湯用ヘッダ連結部５０ａと同じ構成を有する。すなわち、暖房用ヘッダ連結部６０ａは、暖房用水管６０の長辺方向（長手方向）において両端の近傍にそれぞれ配置される。具体的に、暖房用ヘッダ連結部６０ａは、暖房用水管６０の長辺方向の両端部近傍であって、上述の暖房用水管６０の短辺方向における一端側に二箇所配置されている。また、二つの暖房用ヘッダ連結部６０ａは、それぞれ、上述の暖房用水管６０の短辺方向外側に向けて弧を描くように突出した外形を有し、円形の開口部（図示せず）が形成されている。暖房用ヘッダ連結部６０ａもまた、継ぎ部６０ｄが連結されることによって、複数の継ぎ部６０ｄの内部が開口部を介して連通する（図１１参照）。すなわち、暖房用ヘッダ連結部６０ａと継ぎ部６０ｄとが連結されることによって、暖房用ヘッダ６１，６２の内部空間が形成される。
【０１１７】
（３−７−２）継ぎ部
継ぎ部６０ｄは、複数の暖房用ヘッダ連結部６０ａを継ぐための部材である。継ぎ部６０ｄは、筒状の部材である。すなわち、継ぎ部６０ｄは、内部に空洞を有する。
【０１１８】
具体的に、継ぎ部６０ｄの上端は、一の暖房用ヘッダ連結部６０ａに連結され、継ぎ部６０ｄの下端は、他の暖房用ヘッダ連結部６０ａに連結される（図１１参照）。複数の暖房用ヘッダ連結部６０ａが継ぎ部６０ｄによって継がれることにより、図１１に示すように、暖房用ヘッダ６１，６２が形成される。継ぎ部５０ｄの上端および下端は、それぞれ、暖房用ヘッダ連結部６０ａの開口部に連結される（図７参照）。また、継ぎ部６０ｄは、ロウ付又は溶接によって暖房用ヘッダ連結部６０ａに接合される。
【０１１９】
継ぎ部６０ｄもまた、暖房用水管６０と同様、水の腐食性を考慮して、ステンレスや銅合金を用いることが好ましい。
【０１２０】
（３−７−３）暖房用出入口部
暖房用出入口部６１ｂ，６２ｂは、暖房用第１ヘッダ６１および暖房用第２ヘッダ６２内へと給湯用水を送る、あるいは、暖房用第１ヘッダ６１および暖房用第２ヘッダ６２内から暖房用水を排出するための部分である。
【０１２１】
具体的には、図５に示すように、暖房用第１ヘッダ６１は、暖房用水の出入口を構成する暖房用第１出入口部６１ｂを有し、暖房用第２ヘッダ６２は、暖房用水の出入口を構成する暖房用第２出入口部６２ｂを有する。暖房用第１出入口部６１ｂは、給湯用第１出入口部５１ｂが給湯用第１ヘッダ５１に取り付けられるのと同様に、暖房用第１ヘッダ６１の長手方向において第１端部の先端の位置に設けられる。また、暖房用第２出入口部６２ｂは、給湯用第２出入口部５２ｂが給湯用第２ヘッダ５２に取り付けられるのと同様に、暖房用第２ヘッダ６２の長手方向において第２端部の先端の位置に設けられる。
【０１２２】
暖房用ヘッダ６１，６２の出入口部６１ｂ，６２ｂのそれぞれもまた、冷媒用ヘッダ４１，４２の出入口部４１ｂ，４２ｂの近傍に配置されている。また、水熱交換器１０を横たえたとき、暖房用ヘッダ６１，６２の出入口部６１ｂ，６２ｂのそれぞれは、冷媒用ヘッダ４１，４２の出入口部４１ｂ，４２ｂよりも上方に配置される。
【０１２３】
暖房用水は、図５の破線矢印で示すように、給湯用水と同様、暖房用第１出入口部６１ｂを介して水熱交換器１０の内部に流れ込み、多数の暖房用水管６０の内部を通って、暖房用第２出入口部６２ｂを介して水熱交換器１０の外部へ流れ出る。
【０１２４】
（３−７−４）仕切り部材
暖房用第１ヘッダ６１および暖房用第２ヘッダ６２もまた、冷媒用第１ヘッダ４１および冷媒用第２ヘッダ４２と同様に、それぞれ、内部に複数の仕切り部材（図示なし）を有する。仕切り部材によって、給湯用第１ヘッダ５１および給湯用第２ヘッダ５２の内部に流れ込む暖房用水の流動経路が変更される。
【０１２５】
暖房用第１ヘッダ６１および暖房用第２ヘッダ６２が有する仕切り部材は、給湯用第１ヘッダ５１および給湯用第２ヘッダ５２が有する仕切り部材と同じ機能を有し、暖房用水を給湯用水と同じ方向に暖房用水を流すために、暖房用水の進行方向を変化させる。その結果、暖房用水は、暖房用水管６０の中を流れる間に、冷媒管４０内部を流れる冷媒から与えられる熱によって加熱される。
【０１２６】
なお、暖房用第１ヘッダ６１および暖房用第２ヘッダ６２内の仕切り部材は、暖房用水が、冷媒の流れに対向する方向に流れるように、暖房用第１ヘッダ６１および暖房用第２ヘッダ６２内に配置されている。
【０１２７】
（４）冷媒管、給湯用水管、および暖房用水管の積層構造
図１２には、水熱交換器１０の積層構造が模式的に示されている。また、図１２には、水熱交換器１０で流れる流体（冷媒、給湯用一過水、および暖房用循環水）の流れ方向を示す矢印を示す。ここで、給湯用一過水は、給湯用水を意味し、暖房用循環水は暖房用水を意味する。また、右から左へ向かう矢印は、紙面手前側から紙面奥側への流体の流れを示す。一方、左から右へ向かう矢印は、紙面奥側から紙面手前側への流体の流れを示す。
【０１２８】
図１２に示すように、水熱交換器１０では、給湯用水管５０と暖房用水管６０とが交互に積層される。また、給湯用水管５０と暖房用水管６０との間には、冷媒管４０が配置される。具体的に、給湯用水管５０および暖房用水管６０の間、あるいは、暖房用水管６０および給湯用水管５０の間には、冷媒管４０が設けられる。すなわち、水熱交換器１０では、給湯用水管５０の上下両方の面が、冷媒管４０に接触し、さらに、暖房用水管６０の上下両方の面も冷媒管４０に接触するように、冷媒管４０、給湯用水管５０、および暖房用水管６０が積層される。
【０１２９】
より具体的に、水熱交換器１０では、給湯用水管５０，冷媒管４０，暖房用水管６０，冷媒管４０，および給湯用水管５０の順番に、少なくとも部分的に積層されている。給湯用水管５０の次には、さらに、冷媒管４０，暖房用水管６０，冷媒管４０，給湯用水管５０，冷媒管４０，・・・の順番で、それぞれが積層される。水熱交換器１０では、このような積層順序を有することによって、冷媒と給湯用水との間の熱交換を行わせ、さらに、冷媒と暖房用水との間の熱交換を行わせる。
【０１３０】
（５）特徴
（５−１）
上記実施形態に係る水熱交換器１０は、冷媒管（第１の扁平管）４０と、給湯用水管（第２の扁平管）５０と、暖房用水管（第３の扁平管）６０とを備える。冷媒管４０は、熱源側からの冷媒を通す扁平な管である。給湯用水管５０は、給湯用の水を通す扁平な管である。暖房用水管６０は、暖房用の水を通す扁平管である。また、水熱交換器１０は、給湯用水管５０、冷媒管４０、暖房用水管６０、冷媒管４０、および給湯用水管５０、の順番に、少なくとも部分的に積層されて、冷媒と給湯用の水との間の熱交換と、冷媒と暖房用の水との間の熱交換を行わせる。
【０１３１】
近年、給湯システムと暖房システムとの一体化のニーズが出てきた。従来のプレート型水熱交換器（扁平管を積層した水熱交換器）を利用して、給湯システムおよび暖房システムの双方の機能を有するシステム（給湯・暖房システム）を構成する場合、給湯システムおよび暖房システムのそれぞれに対して水熱交換器を準備する必要があった。すなわち、給湯・暖房システム内には、給湯用水管および冷媒管からなる水熱交換器と、暖房用水管および冷媒管からなる水熱交換器と、を含む二つの水熱交換器を準備する必要があった。その結果、水熱交換器が全体として大型化してしまうことになる。
【０１３２】
しかし、上記実施形態に係る水熱交換器（水熱交換器）１０は、冷媒管４０と、給湯用水管５０と、暖房用水管６０とが所定の順番で積層される。具体的に、水熱交換器１０では、給湯用水管５０、冷媒管４０、暖房用水管６０、冷媒管４０、および給湯用水管５０の順番に、少なくとも部分的に積層される。ここで、冷媒と給湯用の水との間の熱交換と、冷媒と暖房用の水との間の熱交換とが行われる。これにより、一つの冷媒管４０を流れる冷媒と、給湯用水管５０および暖房用水管６０のそれぞれ流れる水との間で効果的に熱交換させることができる。その結果、給湯用の水熱交換器および暖房用の水熱交換器を一体化させるとともに、全体としてコンパクトな水熱交換器１０を提供することができる。
【０１３３】
（５−２）
上記実施形態に係る水熱交換器１０は、冷媒用ヘッダ４１，４２と、冷媒用出入口部４１ｂ，４２ｂと、給湯用ヘッダ５１，５２と、給湯用出入口部５１ｂ，５２ｂと、暖房用ヘッダ６１，６２と、暖房用出入口部６１ｂ，６２ｂと、をさらに備える。冷媒用ヘッダ４１，４２は、積層された多数の冷媒管（第１の扁平管）４０の長手方向両端側に、多数の冷媒管４０の積層方向に沿って配置される。冷媒用ヘッダ４１，４２は、多数の冷媒管４０に通す冷媒を集合させる。冷媒用第１出入口部４１ｂ，４２ｂは、冷媒用ヘッダ４１，４２の長手方向一端に設けられ、冷媒の出入口を構成する。給湯用ヘッダ５１，５２は、積層された多数の給湯用水管（第２の扁平管）１２０の長手方向両端側に、多数の給湯用水管５０の積層方向に沿って配置される。給湯用ヘッダ５１，５２は、多数の給湯用水管５０に通す給湯用の水を集合させる。給湯用出入口部５１ｂ，５２ｂは、給湯用ヘッダ５１，５２の長手方向一端に設けられ、給湯用の水の出入口を構成する。暖房用ヘッダ６１，６２は、積層された多数の暖房用水管（第３の扁平管）６０の長手方向両端側に、多数の暖房用水管６０の積層方向に沿って配置される。暖房用ヘッダ６１，６２は、多数の暖房用水管６０に通す暖房用の水を集合させる。暖房用出入口部６１ｂ，６２ｂは、暖房用ヘッダ６１，６２の長手方向一端に設けられ、暖房用の水の出入口を構成する。給湯用ヘッダ５１，５２と暖房用ヘッダ６１，６２とは、冷媒管４０を挟んで対向して配置される。冷媒用ヘッダ４１，４２と、給湯用ヘッダ５１，５２と、暖房用ヘッダ６１，６２とは、水平面に対して平行に近い傾きで配置される。また、給湯用出入口部５１ｂ，５２ｂは、水平面に対して、冷媒用第１出入口部４１ｂ，４２ｂよりも下方に配置される。
【０１３４】
上記実施形態では、熱源ユニット２において、水熱交換器１０では、冷媒用ヘッダ４１，４２と、給湯用ヘッダ５１，５２と、暖房用ヘッダ６１，６２とが、水平面に対して平行に近い傾きになるように配置される。すなわち、水熱交換器１０は、横たえた状態で熱源ユニット２内に配置される。ここで、給湯用ヘッダ５１，５２および暖房用ヘッダ６１，６２は、冷媒管４０を挟んで対向して配置される。また、給湯用ヘッダ５１，５２の出入口部５１ｂ，５２ｂは、水平面に対して、冷媒用ヘッダ４１，４２の出入口部４１ｂ，４２ｂよりも下方に配置される。
【０１３５】
一般的に、給湯システムや暖房システムを長期間使用しない場合には、水熱交換器内部は空になっていることが好ましい。特に、給湯用水は一過水であり、繰り返し使われる水ではないため、水熱交換器１０の内部に長期間入れておくことは好ましくない。
【０１３６】
上記実施形態に係る水熱交換器１０では、水熱交換器１０を横たえた状態で、給湯用ヘッダ５１，５２の出入口部５１ｂ，５２ｂが、冷媒用ヘッダ４１，４２の出入口部４１ｂ，４２ｂと異なる高さ位置になるように設計されている。具体的には、水熱交換器１０を横たえた状態で、給湯用出入口部５１ｂ，５２ｂが、冷媒用出入口部４１ｂ，４２ｂよりも、低い位置にくるように設計している。これによって、水平面（設置面）に対する水熱交換器１０の傾きを、わずかにつけることによって、給湯用水の排出が行える。すなわち、上記実施形態に係る水熱交換器１０は、給湯用の水の排出を容易にする。
【０１３７】
また、給湯用ヘッダ５１，５２および暖房用ヘッダ６１，６２は、冷媒管４０を挟んで対向して配置される。これによって、暖房用出入口部６１ｂ，６２ｂを、冷媒用出入口部４１ｂ，４２ｂおよび給湯用出入口部５１ｂ，５２ｂに干渉しない位置に配置することができる。
【０１３８】
なお、給湯用水管５０および給湯用ヘッダ５１，５２と、暖房用水管６０および暖房用ヘッダ６１，６２との配置を入れ替えることによって、暖房用の水の排出を容易にすることもできる。
【０１３９】
（５−３）
上記実施形態に係る水熱交換器１０は、給湯用出入口部５１ｂ，５２ｂは、冷媒用出入口部４１ｂ，４２ｂの近傍に配置される。給湯用の水は、高温出湯が求められる。上記実施形態に係る水熱交換器１０では、給湯用の水を通す給湯用出入口部５１ｂ，５２ｂが、冷媒用出入口部４１ｂ，４２ｂの近傍に配置される。すなわち、給湯用ヘッダ５１，５２が、冷媒用ヘッダ４１，４２の近傍に配置される。これにより、高温出湯が必要な給湯用の水を、効率よく熱交換させることができる。
【０１４０】
また、上記実施形態に係る水熱交換器１０では、給湯用の水の出口である給湯用出入口部５２ｂが、冷媒の入口である冷媒用出入口部４２ｂの近傍に配置される。したがって、給湯用の水をより効果的に熱交換させることができる。
【０１４１】
（５−４）
上記実施形態に係る水熱交換器１０では、給湯用水管５０を流れる給湯用水および暖房用水管６０を流れる暖房用水は、同一の方向に流れる。一方、冷媒管４０を流れる冷媒は、給湯用の水および暖房用の水が流れる方向と反対の方向に流れる。これにより、効率よく熱交換を行うことができる。
【０１４２】
（５−５）
上記実施形態に係る給湯用水管５０は、内部空間にディンプル２５を有する。給湯用水管５０の流路ｐ１を給湯用水が流れるとき、ディンプル２５によって乱流が発生する。これにより、水と金属プレート８０との間の熱伝達効率を向上させることができる。
【０１４３】
（６）変形例
（６−１）変形例Ａ
上記実施形態に係る水熱交換器１０では、給湯用ヘッダ５１，５２および暖房用ヘッダ６１，６２の位置が干渉しないように、水熱交換器１０を横たえた状態で、給湯用ヘッダ５１，５２および暖房用ヘッダ６１，６２を異なる高さ位置に設ける。具体的に、給湯用ヘッダ５１，５２は、中心線Ｃ２よりも上方に位置し、暖房用ヘッダ６１，６２は、中心線Ｃ２よりも下方に位置するようにそれぞれ配置する。また、水熱交換器１０の奥行き方向中心を通る中心線Ｃ２に対して、給湯用ヘッダ５１，５２と暖房用ヘッダ６１，６２とを対称の位置に配置する。すなわち、給湯用ヘッダ５１，５２と暖房用ヘッダ６１，６２は、冷媒管４０を挟んで対向する位置に配置される。その結果、水熱交換器１０の横たえた状態のとき、給湯用出入口部５１ｂ，５２ｂのそれぞれは、冷媒用出入口部４１ｂ，４２ｂよりも下方に配置され、暖房用出入口部６１ｂ，６２ｂのそれぞれは、冷媒用出入口部４１ｂ，４２ｂよりも上方に配置される。
【０１４４】
ここで、水熱交換器１０において、給湯用出入口部５１ｂ，５２ｂおよび暖房用出入口部６１ｂ，６２ｂは、冷媒管４０が延びる方向と交差する方向において、同一の方向に配置されていてもよい。具体的には、給湯用出入口部５１ｂ，５２ｂおよび暖房用出入口部６１ｂ，６２ｂの両方を、冷媒用出入口部４１ｂ，４２ｂよりも下方に配置してもよい。以下、図１３を用いて、給湯用出入口部５１ｂ，５２ｂおよび暖房用出入口部６１ｂ，６２ｂの両方を、冷媒用出入口部４１ｂ，４２ｂよりも下方に配置した例を説明する。
【０１４５】
なお、このとき、上記実施形態で用いた給湯用水管５０および暖房用水管６０に代えて、給湯用水管１５０および暖房用水管１６０を採用する。給湯用水管１５０および暖房用水管１６０と、上記給湯用水管５０および暖房用水管６０の違いは、長辺寸法ｄ１２１のみであり、給湯用水管１５０および暖房用水管１６０の他の構成は上記実施形態の給湯用水管５０および暖房用水管６０同じである。したがって、寸法ｄ１２１以外の他の構成については、上記実施形態で用いた符号と同じ符号を用い、また、他の構成についての詳細な説明は省略する。
【０１４６】
図１３に示すように、給湯用出入口部５１ｂ，５２ｂおよび暖房用出入口部６１ｂ，６２ｂの両方は、水熱交換器１０の設置面に近い側において隣接して配置される。具体的に、給湯用出入口部５１ｂ，５２ｂおよび暖房用出入口部６１ｂ，６２ｂは、中心線Ｃ２に対して下方一端側に設けられる。給湯用水管１５０の長辺寸法ｄ１２１および暖房用水管１６０の長辺寸法ｄ１２２は、同じである。但し、給湯用水管１５０の長辺寸法ｄ１２１および暖房用水管１６０の長辺寸法ｄ１２２は、上記給湯用水管５０および暖房用水管６０の長辺寸法ｄ２１より短い。
【０１４７】
給湯用水管１５０の中心位置ＣＰ１および暖房用水管１６０の中心位置ＣＰ２は、それぞれ、冷媒管４０の中心位置ＣＰからずれている。具体的に、給湯用水管５０の中心位置ＣＰ１は、冷媒管４０の中心位置ＣＰに対して第１の方向にずれている。一方、暖房用水管６０の中心位置ＣＰ２は、冷媒管４０の中心位置ＣＰに対して第２の方向にずれている。第１の方向とは、冷媒の入口側である冷媒用第２出入口部４２ｂが設けられている冷媒用第２ヘッダ４２に近づく方向である。また、第２の方向とは、第１の方向と反対の方向であって、冷媒の出口側である冷媒用第１出入口部４１ｂが設けられている冷媒用第１ヘッダ４１に近づく方向である。
【０１４８】
すなわち、変形例Ａに係る水熱交換器１０では、給湯用水管１５０の長辺寸法ｄ１２１と、暖房用水管１６０の長辺寸法ｄ１２２が同じであり、給湯用水管１５０の中心位置ＣＰ１と、暖房用水管１６０の中心位置ＣＰ２とが、冷媒管４０の中心位置ＣＰに対して異なる方向へずらされて配置される。また、給湯用水管１５０は、給湯用第２ヘッダ５２（および給湯用第２出入口部５２ｂ）が、冷媒の入口側である冷媒用第２出入口部４２ｂが設けられている冷媒用第２ヘッダ４２に近い位置に配置されるように、冷媒管４０の中心位置ＣＰに対して中心位置ＣＰ１をずらす。
【０１４９】
これにより、給湯用の水および暖房用の水の両方の排出が容易になる。また、高温出湯が必要な給湯用水を排出する給湯用第２出入口部５２ｂを、冷媒の入口側である冷媒用第２出入口部４２ｂの近傍に配置し、当該給湯用第２出入口部５２ｂから給湯用水を排出することができる。その結果、高温出湯が必要な給湯用水を、効果的に熱交換することができる。
【０１５０】
給湯用出入口部５１ｂ，５２ｂが、冷媒用出入口部４１ｂ，４２ｂの近傍に配置され、また、暖房用出入口部６１ｂ，６２ｂは、給湯用出入口部５１ｂ，５２ｂの熱交換流れ方向内側に配置される。その結果、給湯用出入口部と暖房用出入口部とを干渉しない位置に配置することができると共に、給湯用の水を効果的に熱交換させることができる。
【０１５１】
（６−２）変形例Ｂ
さらに、変形例Ａに係る水熱交換器１０とは異なる態様で、給湯用出入口部５１ｂ，５２ｂおよび暖房用出入口部６１ｂ，６２ｂの両方を、冷媒用出入口部４１ｂ，４２ｂよりも下方に配置してもよい。
【０１５２】
以下、図１４を用いて、給湯用出入口部５１ｂ，５２ｂおよび暖房用出入口部６１ｂ，６２ｂの両方を、冷媒用出入口部４１ｂ，４２ｂよりも下方に配置する他の例を説明する。
【０１５３】
なお、このとき、上記実施形態で用いた給湯用水管５０および暖房用水管６０に代えて、給湯用水管２５０および暖房用水管２６０を採用する。給湯用水管２５０および暖房用水管２６０と、上記給湯用水管５０および暖房用水管６０の違いは、長辺寸法ｄ２２１，ｄ２２２のみであり、給湯用水管２５０および暖房用水管２６０の他の構成は上記実施形態の給湯用水管５０および暖房用水管６０同じである。したがって、寸法ｄ２２１以外の他の構成については、上記実施形態で用いた符号と同じ符号を用い、また、他の構成についての詳細な説明は省略する。
【０１５４】
図１４に示すように、給湯用出入口部５１ｂ，５２ｂおよび暖房用出入口部６１ｂ，６２ｂの両方は、水熱交換器１０の設置面側において隣接して配置される。給湯用水管２５０の長辺寸法ｄ２２１および暖房用水管２６０の長辺寸法ｄ２２２は異なる。具体的に、給湯用水管２５０の長辺寸法ｄ２２１が、暖房用水管２６０の長辺寸法ｄ２２２よりも長い。なお、給湯用水管２５０および暖房用水管２６０の中心位置は、いずれも、冷媒管４０の中心位置ＣＰと一致する。
【０１５５】
変形例Ｂに係る水熱交換器１０では、給湯用水管２５０の長辺寸法ｄ２２１が、暖房用水管２６０の長辺寸法ｄ２２２よりも長い。また、給湯用水管２５０および暖房用水管２６０の中心位置は、いずれも、冷媒管４０の中心位置ＣＰと一致する。したがって、図１４に示すように、冷媒管４０の中心位置ＣＰに対して、給湯用ヘッダ５１，５２が、暖房用ヘッダ６１，６２よりも、遠い位置に配置される。言い換えると、暖房用ヘッダ６１，６２は、冷媒管４０の長手方向において、給湯用ヘッダ５１，５２よりも内側に配置される。さらに言い換えると、暖房用出入口部６１ｂ，６２ｂは、給湯用出入口部５１ｂ，５２ｂの熱交換流れ方向内側に配置される。また、給湯用ヘッダ５１，５２は、暖房用ヘッダ６１，６２よりも、冷媒用ヘッダ４１，４２に近い位置に配置される。
【０１５６】
この構成であっても、給湯用出入口部５１ｂ，５２ｂと暖房用出入口部６１ｂ，６２ｂとを干渉しない位置に配置することができる。また、この構成であっても、給湯用水および暖房用水の両方の排出が容易になる。さらに、給湯用第２ヘッダ５２（および給湯用第２出入口部５２ｂ）が、冷媒用第２ヘッダ４２（および冷媒用第２出入口部４２ｂ）に近い位置に配置されるため、高温出湯が必要な給湯用水を、効果的に熱交換することができる。
【０１５７】
（６−３）変形例Ｃ
上記実施形態に係る水熱交換器１０では、給湯用水管５０および暖房用水管６０のそれぞれの両面に冷媒管４０を接触させるために、給湯用水管５０と暖房用水管６０とを交互に並べ、給湯用水管５０および暖房用水管６０、あるいは、暖房用水管６０および給湯用水管５０の間に冷媒管４０が配置される構成とした。
【０１５８】
具体的に、上記実施形態に係る水熱交換器１０では、給湯用水管５０，冷媒管４０，暖房用水管６０，冷媒管４０，および給湯用水管５０の順番に、少なくとも部分的に積層されている。水熱交換器１０では、このような積層順序を有することによって、冷媒と給湯用水との間の熱交換を行わせ、さらに、冷媒と暖房用水との間の熱交換を行わせる。
【０１５９】
ここで、冷媒管４０に代えて、冷媒管４０の奥行き寸法ｄ１２よりも奥行き寸法が長い冷媒管１４０を採用し、冷媒管１４０の奥行き方向に沿って、給湯用水管および暖房用水管を並べて配置してもよい（図１５参照）。冷媒管１４０は、冷媒管４０よりも接触可能な面積が大きい。また、冷媒管１４０は、冷媒管４０に比べて、冷媒管１４０の幅方向に並ぶ冷媒流路穴４０ａの数が多い。給湯用水管および暖房用水管は、多数の冷媒流路穴４０ａが並ぶ第１の方向に並んで配置される。
【０１６０】
なお、給湯用水管および暖房用水管は、冷媒管１４０の幅方向中心位置Ｃ１２に対して、対称の位置に配置されてもよいし、必要な能力に応じて、給湯用水管および暖房用水管のいずれか一方の接触面積が大きくなるようにしてもよい（図１５参照）。すなわち、給湯用水管が冷媒管に接触する幅寸法Ｗ１と暖房用水管が冷媒管に接触する幅寸法Ｗ２とは、同じであってもよいし（Ｗ１＝Ｗ２）、異なっていてもよい（Ｗ１＞Ｗ２，Ｗ１＜Ｗ２）。例えば、給湯用水について高温出湯が必要な場合に、給湯用水管が冷媒管１４０に接触する幅寸法Ｗ１が、暖房用水管が冷媒管１４０に接触する幅寸法Ｗ２より大きくなってもよい（Ｗ１＞Ｗ２）。
【０１６１】
このような水熱交換器の構成を採用することにより、給湯用水管および暖房用水管の上下に冷媒管１４０を配置することができる。これにより、冷媒と給湯用水との間の熱交換、および冷媒と暖房用水との間の熱交換の両方を行う。これにより、一つの冷媒管４０を用いて、給湯用水管５０を流れる水および暖房用水管６０を流れる水のそれぞれと、冷媒とを効果的に熱交換させることができる。
【０１６２】
（６−４）変形例Ｄ
さらに、変形例Ｃに示す水熱交換器の態様において、給湯用水管５０および給湯用ヘッダ連結部５０ａと、暖房用水管６０および暖房用ヘッダ連結部６０ａとが、一体的に形成されるものであってもよい。
【０１６３】
具体的には、上記実施形態で用いた金属プレート８０に代えて、給湯用水管３５０および給湯用ヘッダ連結部３５０ａと、暖房用水管３６０および暖房用ヘッダ連結部３６０ａとを一体的に形成可能な一体形成用の金属プレート１８０を用いる（図１６参照）。金属プレート１８０によって形成される、給湯用水管３５０、給湯用ヘッダ連結部３５０ａ、暖房用水管３６０、および暖房用ヘッダ連結部３６０ａは、上記実施形態に係る給湯用水管５０、給湯用ヘッダ連結部５０ａ、暖房用水管６０、および暖房用ヘッダ連結部６０ａと同様の構成を有する。
【０１６４】
図１６は、一体形成用の金属プレート１８０の断面図である。一体形成用の金属プレート１８０は、上記実施形態に係る金属プレート８０と同様、開口形成部９１〜９４、凸面部８３、凹面部９８、および平滑部９５に相当する部分が形成されているものとする（図６および図１６参照）。なお、図１６において、開口形成部９２，９４に相当する部分は、図示されていないが、紙面の奥行き方向一端側に配置されているものとする。開口形成部９１〜９４、凸面部８３、凹面部９８、および平滑部９５に相当する部分は、例えば、プレス加工によって形成される。一体形成用の金属プレート１８０は、図１６の左右方向両側を、ポイントｈｐを基準に上方に折り曲げられる。それにより、例えば、金属プレート１８０の幅方向における中心位置Ｃ２２から左側に、給湯用水管３５０および給湯用ヘッダ連結部３５０ａが形成され、中心位置Ｃ２２から右側に、暖房用水管３６０および暖房用ヘッダ連結部３６０ａが形成される。また、一体形成用の金属プレート１８０を用いる場合には、上記実施形態において用いた継ぎ部５０ｄは必要ない。折り曲げられた一体形成用の金属プレート１８０を複数積層させることにより、図１５に示すように、複数の給湯用ヘッダ連結部３５０ａが、給湯用ヘッダ３５１，３５２を形成し、複数の暖房用ヘッダ連結部３６０ａが、暖房用ヘッダ３６１，３６２を形成する。折り曲げられた金属プレート１８０の中心位置Ｃ２２は、冷媒管１４０の幅方向中心位置Ｃ１２に合わせられる。
【０１６５】
なお、金属プレート１８０の左右方向両側が内側に折り曲げられたとき、中心位置Ｃ２２で、部分的に分離された部分（漏洩検知スリット）ｄｐが形成される（図１７参照）。図１７は、図１５の領域Ｒ２の拡大図である。漏洩検知スリットｄｐは、金属プレート１８０の腐食による給湯用水または暖房用水の漏洩を検知するために用いられる。また、漏洩検知スリットｄｐによって、暖房用水が給湯用水に混ざることを防止する。
【０１６６】
なお、変形例Ｃに示す態様の水熱交換器を採用した場合であっても、図１８に示すように、給湯用水および暖房用水は、水熱交換器内で同一の方向に流れる。また、冷媒は、給湯用水および暖房用水が流れる方向と反対の方向に流れる。これにより、効率よく熱交換を行うことができる。
【０１６７】
（６−５）変形例Ｅ
さらに、上記変形例Ｄに係る一体形成用の金属プレート１８０を採用する場合には、中心位置Ｃ２２を幅方向一方向側に移動させて、給湯用水管３５０または暖房用水管３６０の幅寸法を変更することも可能である。したがって、必要能力に応じて、給湯用水管３５０が冷媒管１４０に接触する幅寸法Ｗ１と暖房用水管３６０が冷媒管１４０に接触する幅寸法Ｗ２とを異なる寸法にすることができる（図１５および図１８参照）。
【０１６８】
（６−６）変形例Ｆ
さらに、上記変形例Ｄに係る一体形成用の金属プレート１８０では、図１８に示すように、給湯用水管３５０および暖房用水管３６０が、長辺方向にまっすぐに延びる流路ｐ１を有する。流路ｐ１の幅は、長辺方向に沿って一定である。
【０１６９】
ここで、給湯用水管３５０および暖房用水管３６０に代えて、流れ方向（長辺方向）に異なる幅寸法を有する給湯用水管４５０および暖房用水管４６０が採用されてもよい。
【０１７０】
例えば、図１９に示すように、長辺方向中央では、給湯用水管４５０および暖房用水管４６０の流路幅は同じ寸法（Ｗ１＝Ｗ２）に設計する。また、図１９に示すように、長辺方向一端側では、給湯用水管４５０が暖房用水管４６０よりも小さい幅寸法（Ｗ１−Ｓ）になり、かつ、暖房用水管４６０が給湯用水管４５０よりも大きい幅寸法（Ｗ２＋Ｓ）になるように設計する。逆に、長辺方向他端側では、暖房用水管４６０が給湯用水管４５０よりも小さい幅寸法（Ｗ２−Ｓ）であり、かつ、給湯用水管４５０が暖房用水管４６０よりも大きい幅寸法（Ｗ１＋Ｓ）になるように設計する。
【０１７１】
このとき、給湯用水管４５０の流路は、冷媒入口側の冷媒用第２出入口部４２ｂの近傍で、冷媒管１４０との接触面積が大きくなるように、蛇行させている。具体的に、給湯用水管４５０は、長辺方向において冷媒用第２出入口部４２ｂが設けられる冷媒用第２ヘッダ４２付近の所定寸法Ｌ１において、流路が蛇行する。一方、暖房用水管４６０は、長辺方向において反対側の端部付近（冷媒用第１ヘッダ４１の付近）の所定寸法Ｌ２において、流路が蛇行する。このような構成にすることにより、高温出湯が必要な給湯用水について、冷媒用第２ヘッダ４２の近傍で熱交換が可能な面積を多くとることができる。これにより、熱交換効率を向上させることができる。
【０１７２】
なお、幅寸法Ｗ１，Ｗ２や、長辺方向において流路を蛇行させる距離Ｌ１，Ｌ２は、必要能力に応じて、適宜変更されるものとする。
【符号の説明】
【０１７３】
１０              水熱交換器
４０              冷媒管（第１の扁平管）
４１，４２        冷媒用ヘッダ（冷媒用第１ヘッダ，冷媒用第２ヘッダ）
４１ａ，４２ａ    仕切り部材
４１ｂ，４２ｂ    冷媒用出入口部（冷媒用第１出入口部，冷媒用第２出入口部）
５０，１５０，２５０，３５０，４５０  給湯用水管（第２の扁平管）
５０ａ            給湯用ヘッダ連結部
５０ｃ            開口部
５０ｄ            継ぎ部
５１，５２        給湯用ヘッダ（給湯用第１ヘッダ、給湯用第２ヘッダ）
５１ｂ，５２ｂ    給湯用出入口部（給湯用第１出入口部、給湯用第２出入口部）
６０，１６０，２６０，３６０，４６０    暖房用水管（第３の扁平管）
６０ａ            暖房用ヘッダ連結部
６０ｃ            開口部
６０ｄ            継ぎ部
６１，６２  暖房用ヘッダ（暖房用第１ヘッダ、暖房用第２ヘッダ）
６１ｂ，６２ｂ  暖房用出入口部（暖房用第１出入口部、暖房用第２出入口部）
８０，１８０      金属プレート
【先行技術文献】
【特許文献】
【０１７４】
【特許文献１】特開２０１２−２０２６０８号公報
【図１】
2015068621.tif 000003
【図２】
2015068621.tif 000004
【図３】
2015068621.tif 000005
【図４】
2015068621.tif 000006
【図５】
2015068621.tif 000007
【図６】
2015068621.tif 000008
【図７】
2015068621.tif 000009
【図８】
2015068621.tif 000010
【図９】
2015068621.tif 000011
【図１０】
2015068621.tif 000012
【図１１】
2015068621.tif 000013
【図１２】
2015068621.tif 000014
【図１３】
2015068621.tif 000015
【図１４】
2015068621.tif 000016
【図１５】
2015068621.tif 000017
【図１６】
2015068621.tif 000018
【図１７】
2015068621.tif 000019
【図１８】
2015068621.tif 000020
【図１９】
2015068621.tif 000021